(57)【要約】【課題】  電子カルテの画面上に配置される表示ボタンの数を減らし、且つ、診療項目に対応付けられた表示ボタンを選択するまでの操作を簡略化することで、操作者が所望する診療情報を呼び出す際の手間を軽減する電子カルテ表示装置を提供する。【解決手段】  表示装置３が表示する電子カルテの表示画面上には、第１診療項目として、例えば［ＡＣ］ボタンのみを表示する。ここで、操作者がマウス５を操作して、この［ＡＣ］ボタン上にカーソルを位置させると、カーソル位置判断部２ｂによってこれが判断されて、さらに、操作者がトグルボタン５ａを回すと、トグル回転方向位置判断部２ｃによってその回転方向と回転位置が判断される。これらの判断を受けて、ボタン表示切替処理部２ｄは、表示装置３に、この［ＡＣ］ボタンと関連付けられた他の［保険１］、［病名］等の表示ボタンを、トグルボタン５ａの回転方向及び回転位置に応じて、順次、切り替えて表示させる。【選択図】      図１
2005250846.tif 000002
【特許請求の範囲】
【請求項１】
画面表示される電子カルテに配置された各種診療項目に対応する複数の表示ボタンの中から所望する表示ボタンが選択されることで、当該選択された表示ボタンに対応する前記診療項目に関する情報を表示する電子カルテ表示装置であって、
前記電子カルテ上にポインタを表示させるポインタ表示処理手段と、
前記表示されたポインタを移動させる操作を行うためのトグルボタンを備えたマウスと、
前記マウスの操作によって前記複数の表示ボタンの何れかの上に前記ポインタが位置された場合に、前記トグルボタンの操作に応じて、前記ポインタが位置された前記表示ボタンの表示を、当該表示ボタンと予め関連付けられた他の診療項目に対応する表示ボタンの表示に切り替える表示切替処理手段と、を備えたことを特徴とする電子カルテ表示装置。
【請求項２】
前記他の診療項目に対応する表示ボタンへの表示切り替えが行われた後に、前記マウスの操作によって前記他の診療項目に対応する表示ボタンの上から前記ポインタが外された場合に、前記他の診療項目に対応する表示ボタンの表示を、前記表示切り替えが行われる以前の前記表示ボタンの表示に切り替える表示復帰処理手段をさらに備えたことを特徴とする請求項１に記載の電子カルテ表示装置。
【請求項３】
前記マウスの操作によって前記複数の表示ボタンの何れかの上に前記ポインタが位置された場合に、前記電子カルテ上に当該ポインタが位置された前記表示ボタンに対応する前記診療項目と予め関連付けられた前記他の診療項目を一覧表示させる一覧表示処理手段をさらに備えたことを特徴とする請求項１又は請求項２に記載の電子カルテ表示装置。
【請求項４】
前記マウスは、前記ポインタが位置された前記表示ボタンの選択を確定するためのクリックボタンを有し、
前記クリックボタンの押下によって選択が確定された前記表示ボタンに対応する前記診断項目に関する情報を前記電子カルテ上に表示させる表示実行処理手段をさらに備えたことを特徴とする請求項１乃至請求項３の何れか一項に記載の電子カルテ表示装置。
【発明の詳細な説明】
【技術分野】
【０００１】
本発明は、患者に関する様々な診療情報を電子的に記録した電子カルテを画面表示する電子カルテ表示装置に関し、特に、操作者が電子カルテの画面上に所望する診療情報を呼び出す際の手間を軽減させるための画面表示及びその表示切り替え技術に関する。
【背景技術】
【０００２】
一般に、病院内の情報システムが整った診療所等の医療機関においては、医師は、管理サーバーに登録された患者のリストを診療室に備えられた端末装置によって呼び出し、さらに、その登録患者のリストの中から診療を行う患者を指定することで、その診療患者の電子カルテを呼び出し、その電子カルテに記録された診療情報を参照したり、新たな診療情報を入力することを行っている。
【０００３】
このような電子カルテの画面上には、予め主訴・所見等の内容、シェーマ図、オーダ内容等の診療情報と対応付けられた表示ボタンが複数配置されており、医師は、それらの表示ボタンの中から所望するものをマウスやキーボード等の操作によって選択することで、各々に対応する別画面を起動させることになっている。
【０００４】
また、電子カルテの中には、患者に関する検査結果や画像診断結果等の診療情報と対応付けられた表示ボタンを、その結果が有る場合にのみ表示するものがあり、このような場合には、医師は、それらの表示ボタンが表示されているか否かによって、その結果の有無を判断して、それらの表示ボタンの中から所望するものをマウスやキーボード等の操作によって選択することで、各々に対応する別画面を起動させることになっている。
【０００５】
また、医師が診療患者に対して行う診療内容は多岐にわたっており、電子カルテの画面上には、それらの診療内容に対応した診療情報を呼び出すための数多くの表示メニューや表示ボタンが配置されている。従って、医師は、所望する診療内容に応じた診療情報を呼び出すために、その診療内容と対応付けられた表示メニューや表示ボタンを選択して、各々の別画面を起動させることになっている。
【０００６】
また、電子カルテの中には、画面上に配置される表示ボタンの数を少なくするために、表示ボタンの表示切り替えを行うための矢印ボタンなどを設けて、医師がこの矢印ボタンをマウスやキーボード等の操作によって押下することで、画面上に表示される表示ボタンを切り替えるようにしたものもある。
【０００７】
しかしながら、一方で、医師からは所望する診療情報を呼び出すまでの操作を出来るだけ簡単にしたいという要請があり、画面上に配置された表示ボタンを選択することで直接的に所望する診療情報の別画面を起動させることができるように、結果として、電子カルテの画面上には数多くの表示ボタンが配置されることになっている。
【０００８】
このように、電子カルテには、患者に関する様々な診療情報が記録されており、それらの診療情報の全てを画面上に展開して表示することは、表示画面の大きさの都合からも物理的に困難であることから、電子カルテを画面表示する表示装置においては、医師に所望する診療情報に対応する表示ボタンを選択させることで、別画面を起動して、それらの診療情報を表示することになっている（例えば、特許文献１参照）。
【０００９】
【特許文献１】特開２００３‐１２２８４９号公報（段落〔００２８〕‐〔００６４〕、第１図乃至第１０図）
【発明の開示】
【発明が解決しようとする課題】
【００１０】
しかしながら、このように電子カルテの画面上に多くの表示ボタンが配置されることになると、医師は、それらの中から所望する診療情報に対応する表示ボタンを探し当てるのに手間がかかることになる。
【００１１】
また、上述したように、表示ボタンの表示切り替えを行う矢印ボタンなどを設けた場合には、医師は、所望する診療項目に対応する表示ボタンを選択するまでに複雑な操作を行う必要があり手間がかかることになる。
【００１２】
具体的には、医師は、所望する診療項目に対応する表示ボタンを表示させるべく、マウスの操作によって矢印ボタン上にカーソルを移動させて、クリックボタンを押下することで表示ボタンの表示切り替えを行った後、マウスの操作によって所望する診療項目に対応する表示ボタン上にカーソルを移動させて、クリックボタンを押下するといった操作を行う必要がある。この際、医師にとって、特に面倒になるのは、マウスの操作によって矢印ボタンや表示ボタンの上にカーソルを移動させることとなっている。
【００１３】
本発明は、上述した課題を鑑みてなされたものであり、その目的とするところは、電子カルテに配置される表示ボタンの数を減らし、且つ、診療項目に対応付けられた表示ボタンを選択するまでの操作を簡略化することで、操作者が所望する診療情報を呼び出す際の手間を軽減することができる電子カルテ表示装置を提供することにある。
【課題を解決するための手段】
【００１４】
上記課題を解決するために、請求項１に記載の発明は、画面表示される電子カルテに配置された各種診療項目に対応する複数の表示ボタンの中から所望する表示ボタンが選択されることで、当該選択された表示ボタンに対応する前記診療項目に関する情報を表示する電子カルテ表示装置であって、前記電子カルテ上にポインタを表示させるポインタ表示処理手段と、前記表示されたポインタを移動させる操作を行うためのトグルボタンを備えたマウスと、前記マウスの操作によって前記複数の表示ボタンの何れかの上に前記ポインタが位置された場合に、前記トグルボタンの操作に応じて、前記ポインタが位置された前記表示ボタンの表示を、当該表示ボタンと予め関連付けられた他の診療項目に対応する表示ボタンの表示に切り替える表示切替処理手段と、を備えたことを特徴としている。
【００１５】
上記課題を解決するために、請求項２に記載の発明は、請求項１に記載の電子カルテ表示装置であって、前記他の診療項目に対応する表示ボタンへの表示切り替えが行われた後に、前記マウスの操作によって前記他の診療項目に対応する表示ボタンの上から前記ポインタが外された場合に、前記他の診療項目に対応する表示ボタンの表示を、前記表示切り替えが行われる以前の前記表示ボタンの表示に切り替える表示復帰処理手段をさらに備えたことを特徴としている。
【００１６】
上記課題を解決するために、請求項３に記載の発明は、請求項１又は請求項２に記載の電子カルテ表示装置であって、前記マウスの操作によって前記複数の表示ボタンの何れかの上に前記ポインタが位置された場合に、前記電子カルテ上に当該ポインタが位置された前記表示ボタンに対応する前記診療項目と予め関連付けられた前記他の診療項目を一覧表示させる一覧表示処理手段をさらに備えたことを特徴としている。
【００１７】
上記課題を解決するために、請求項４に記載の発明は、請求項１乃至請求項３の何れか一項に記載の電子カルテ表示装置であって、前記マウスは、前記ポインタが位置された前記表示ボタンの選択を確定するためのクリックボタンを有し、前記クリックボタンの押下によって選択が確定された前記表示ボタンに対応する前記診断項目に関する情報を前記電子カルテ上に表示させる表示実行処理手段をさらに備えたことを特徴としている。
【発明の効果】
【００１８】
請求項１に記載の発明によれば、操作者がマウスの操作によって複数の表示ボタンの何れかの上にポインタを位置させて、且つ、トグルボタンを操作した場合に、表示切替処理手段が、そのトグルボタンの操作に応じて、当該ポインタが位置された表示ボタンの表示を、当該表示ボタンと予め関連付けられた他の診療項目に対応する表示ボタンの表示に切り替える構成としたので、従来、電子カルテ上に配置されていた複数の表示ボタンの数を少なくすることができる。従って、操作者が所望する診療項目に対応する表示ボタンを探し当てる手間を軽減することができる。また、上述したように、矢印ボタンなどによって表示ボタンの表示切り替えを行う場合には、操作者は、マウスの操作によって、矢印ボタン上にカーソルを移動させるといった面倒な操作を行う必要があったが、当該電子カルテ表示装置においては、操作者は、トグルボタンを回転させるといった簡単な操作を行うことだけで、これを行うことができるので、表示切り替えにかかる操作を簡単に行うことができる。従って、操作者が所望する診療項目に対応する表示ボタンを選択するまでに行う操作の手間を軽減することができる。
【００１９】
また、請求項２に記載の発明によれば、他の診療項目に対応する表示ボタンへの表示切り替えが行われた後に、操作者がマウスの操作によって当該他の診療項目に対応する表示ボタンの上からポインタを外した場合に、表示復帰処理手段が、当該他の診療項目に対応する表示ボタンの表示を、表示切り替えが行われる以前の表示ボタンの表示に切り替える構成としたので、操作者は、マウスの操作によって表示ボタンの上からカーソルを外すだけで、表示ボタンの表示を容易に初期状態に戻すことができる。
【００２０】
また、請求項３に記載の発明によれば、操作者がマウスの操作によって複数の表示ボタンの何れかの上にポインタを位置させた場合に、一覧表示処理手段が、電子カルテ上に当該ポインタが位置された表示ボタンに対応する診療項目と予め関連付けられた他の診療項目を一覧表示する構成としたので、操作者は、初期状態において表示された表示ボタンに対応する診療項目以外に、どのような診療項目が存在しているのかを認識することができる。
【００２１】
また、請求項４に記載の発明によれば、操作者がクリックボタンを押下した場合に、そのときにポインタが位置された表示ボタンの選択が確定されて、表示実行処理手段が、当該選択が確定された表示ボタンに対応する診断項目に関する情報を電子カルテ上に表示させる構成としたので、操作者は、簡単な操作をもって所望する診断項目に関する情報を電子カルテ上に表示させることができる。
【発明を実施するための最良の形態】
【００２２】
以下、本発明に係る電子カルテ表示装置の好適な一実施形態について、図面を参照しながら具体的に説明する。尚、本発明においては、患者の診療情報を電子的に記録した電子カルテを表示する装置のことを“電子カルテ表示装置”と称することにする。尚、当該“電子カルテ表示装置”は、以下に記載するように医師が診療患者に対して診療行為を行うために用いる他、例えば医事会計システムやオーダリングシステム等にも適用することができる。
【００２３】
［電子カルテ表示装置の構成］
図１に、本実施形態における電子カルテ表示装置の全体構成を表す構成図を示す。図１に示すように、当該電子カルテ表示装置は、登録患者の電子カルテを記憶する記憶装置１と、この記憶装置１から患者の電子カルテを取得する処理装置２と、この処理装置２によって取得された患者の電子カルテを画面表示する表示装置３と、を備えている。さらに、当該電子カルテ表示装置は、操作者が電子カルテの画面表示を要求する患者を指定する操作を行うと共に、その画面表示された電子カルテに新たな診療情報等を入力するためのキーボード４と、同じく、この画面表示された電子カルテに配置された表示ボタンの中から所望する表示ボタンを選択する操作を行うためのマウス５と、を備えている。
【００２４】
処理装置２は、上述したように、記憶装置１から電子カルテを読み出して、これを表示装置３に画面表示させると共に、この電子カルテの画面上にカーソルを表示させる処理を行う表示実行処理部２ａを備えている。さらに、処理装置２は、操作者のマウス５による操作によって移動されるカーソルの位置を判断するカーソル位置判断部２ｂと、操作者の操作によって回転されるトグルボタン５ａの回転方向と回転位置を判断するトグル回転方向位置判断部２ｃと、カーソルが表示ボタン上に位置され、且つ、トグルボタン５ａが回転された場合に、当該表示ボタンの表示を切り替える処理を行うボタン表示切替処理部２ｄと、を備えている。さらに、処理装置２は、操作者の操作によってクリックボタン５ｂが押下されたことを判断するクリック判断部２ｅを備えている。
【００２５】
尚、上述したカーソルは、本発明の「ポインタ」に対応するものであり、表示実行処理部２ａは、本発明の「ポインタ表示処理手段」に対応する。また、ボタン表示切替処理部２ｄは、本発明の「表示切替処理手段」に対応する。
【００２６】
マウス５は、上述したように、表示ボタンの表示を切り替える操作を行うためのトグルボタン５ａと、切り替えた表示ボタンの選択を確定する操作を行うためのクリックボタン５ｂと、を備えている。
【００２７】
因みに、トグルボタン５ａは、従来のマウス製品において、“スクロール”や“スクロールホイール”等と称されているダイヤル形式の入力器のことを指し、マウス本体の上面に設けられて、操作者が、これを回転させることによって、表示画面を上下方向や左右方向にスクロールさせるためのものとなっている。
【００２８】
［電子カルテの表示切替処理］
以下、このように構成される当該電子カルテ表示装置において行われる電子カルテの表示切り替え処理について説明する。
【００２９】
操作者は、まず、表示装置３において一覧表示される登録患者のリストの中から、キーボード４の操作によって、これから診療を行う患者を指定する。このような指定は、患者の識別情報、例えばＩＤ番号や氏名などを入力することで行われる。
【００３０】
これを受けて、表示実行処理部２ａは、その入力された識別情報に基づいて、指定された患者の電子カルテを記憶装置１から呼び出して、これを表示装置３に画面表示させると共に、この電子カルテの画面上にカーソルを表示させる処理を行う。
【００３１】
即ち、電子カルテの情報は、記録装置１に備えられたメモリの所定領域に、患者の識別情報と対応付けて記憶されている。
【００３２】
ここで、図２に、従来の電子カルテ表示装置によって表示される電子カルテ画面の一例である従来の電子カルテ画面３０Ａを示す。図２に示すように、当該従来の電子カルテ画面３０Ａは、主に、患者に関する氏名、性別、生年月日、保険、病名、家族等の情報を示す患者情報表示窓部分３０Ａａと、患者に関するカルテ情報を示すカルテ情報表示窓部分３０Ａｂと、から構成されている。さらに、当該電子カルテ画面３０Ａは、患者に関する指導料実施情報を示す指導料実施情報表示窓部分３０Ａｃと、所定の条件によって患者の診療情報を呼び出すためのショートカットボタン群が表示される診療情報ショートカット表示窓部分３０Ａｄと、患者の画像診断情報を呼び出すためのショートカットボタン群が表示される画像診断情報ショートカット表示窓部分３０Ａｅと、から構成されている。カルテ情報表示窓部分３０Ａｂは、さらに、患者を診察する医師の担当や氏名等を示す担当医表示窓部分３０Ａｂａと、所見を示す所見表示窓部分３０Ａｂｂと、シェーマ図を示すシェーマ情報表示窓部分３０Ａｂｃと、オーダ内容を示すオーダ情報表示窓部分３０Ａｂｄ等により構成されている。担当医表示窓部分３０Ａｂａは、さらに、表示する患者の電子カルテを順次スクロールするためのスクロールボタン３０Ａｂｅ等を含み構成されている。
【００３３】
即ち、上述した電子カルテの情報は、図２に示したような電子カルテ画面の各表示窓部分の画像情報及びその表示装置３の画面上における表示位置情報と、それらの表示窓部分の所定位置に配置される表示ボタンの画像情報及びその表示装置３の画面上における表示位置情報と、を含んで構成されており、表示実行処理部２ａは、それらの表示位置情報に基づいて、表示装置３の表示画面の所定位置に電子カルテ画面の各表示窓部分の画像を表示させると共に、それらの表示窓部分の所定位置に表示ボタンの画像を表示させる。
【実施例１】
【００３４】
以下、図２に示した従来の電子カルテ画面３０Ａの患者情報表示窓部分３０Ａａの領域Ｒに配置された［ＡＣ］、［保険１］、［病名］、［家族］、［アレルギー］、［詳細］の６個の表示ボタンを例に挙げて、当該電子カルテ表示装置の表示装置３において表示される電子カルテ画面の患者情報表示窓部分における場合について、図５に示すフローチャートの流れに沿って説明する。
【００３５】
図３（Ａ）に示すように、従来の電子カルテ画面３０Ａの患者情報表示窓部分３０Ａａには、［ＡＣ］、［保険１］、［病名］、［家族］、［アレルギー］、［詳細］の６個の表示ボタンが横一列に配置されている。これに対して、図３（Ｂ）に示すように、当該電子カルテ表示装置の表示装置３に表示する電子カルテ画面の患者情報表示窓部分３Ａａは、第１診療項目として［ＡＣ］ボタンのみを配置（表示）する（Ｓ０１）。
【００３６】
即ち、表示実行処理部２ａは、上述した電子カルテの情報に基づいて、表示装置３の表示画面の所定位置に電子カルテ画面の各表示窓部分の画像を表示させると共に、当該患者情報表示窓部分３Ａａの所定位置に、この［ＡＣ］ボタンの画像を表示させる。
【００３７】
このように、当該電子カルテ表示装置においては、表示装置３に表示される電子カルテ画面の初期状態において、第１診療項目とした表示ボタンのみを表示するので、電子カルテの画面上に配置される表示ボタンの数を減らすことができ、操作者が所望する診療項目に対応する表示ボタンを探し当てる手間を軽減することができる。さらに、個々の表示ボタンを大きく構成することで、操作者の手間をさらに軽減することもできる。
【００３８】
説明に戻って、ここで、操作者がマウス５の操作によって、この［ＡＣ］ボタンの上にカーソルを位置させると、カーソル位置判断部２ａによってこれが判断されて、その旨の報知信号がボタン表示切替処理部２ｄに送信される（Ｓ０２、ＹＥＳ）。
【００３９】
この際、カーソル位置判断部２ａは、マウス５からの操作信号を受けて、その操作信号に基づいてカーソルの画面上における位置を判断して、その位置情報と［ＡＣ］ボタンの表示位置情報とを比較することで、カーソルが［ＡＣ］ボタンの上に位置されたか否かを判断する。
【００４０】
因みに、本実施例においては、上述したように、初期状態において第１診療項目とする表示ボタンのみを表示するため、操作者にその他に存在している診療項目を認識させるべく、例えば、操作者がマウス５の操作によってカーソルを移動させて、この［ＡＣ］ボタンの上に位置させた場合に、カーソル位置判断部２ａによってこれを検出して、その検出信号をボタン表示切替処理部２ｄに送信して、これを受けたボタン表示切替処理部２ｄが、記憶装置１に記憶された、この［ＡＣ］ボタンに関連する、即ち、患者情報表示窓部分３Ａａに表示される他の全ての診療項目（［保険１］、［病名］、［家族］、［アレルギー］、［詳細］）を一覧表示する画像情報を読み出して、これを電子カルテの画面上の所定位置に表示させるように構成しても良い。
【００４１】
即ち、上述した、全ての診療項目を一覧表示する画像情報は、その表示装置３の画面上における表示位置情報と対応付けて、記憶装置１に備えられたメモリの所定領域に記憶されており、ボタン表示切替処理部２ｄは、その表示位置情報に基づいて、これを電子カルテの画面上の所定位置に表示させる。
【００４２】
尚、ボタン表示切替処理部２ｄは、本発明の「一覧表示処理手段」にも対応する。
【００４３】
説明に戻って、ここで、操作者がトグルボタン５ａを下向きに回転させた場合には、トグル回転方向位置判断部２ｃによってその回転方向と回転位置が判断されて、それらを知らせる報知信号がボタン表示切替処理部２ｄに送信される（Ｓ０３、ＹＥＳ）。
【００４４】
この際、トグル回転方向位置判断部２ｃは、トグルボタン５ａからの操作信号を受けて、その操作信号に基づいてトグルボタン５ａの転方向と回転位置を判断する。
【００４５】
ここで、ボタン表示切替処理部２ｄにおいては、上述したカーソルが［ＡＣ］ボタン上に位置した旨の報知信号と、トグルボタン５ａの回転方向と回転位置を知らせる報知信号を受けて、図４（Ａ）〜（Ｃ）に示すように、［ＡＣ］ボタンに関連する他の［保険１］、［病名］、［家族］、［アレルギー］、［詳細］の５個の表示ボタンを、トグルボタン５ａの回転位置に応じて、順次、上方向にスクロール表示させることで、それらの表示切り替えを行う（Ｓ０４）。
【００４６】
即ち、［ＡＣ］、［保険１］、［病名］、［家族］、［アレルギー］、［詳細］の６個の表示ボタンの画像情報は、記憶装置１に備えられたメモリの所定領域に、その表示装置３の画面上における表示位置情報と対応付けられて記憶されていると共に、各々の画像情報は、当該メモリの所定領域の所定番地に、トグルボタン５ａの回転位置と対応付けられて記憶されている。ボタン表示切替処理部２ｄは、トグルボタン５ａの回転位置の情報に基づいて、順次、当該メモリの所定領域の所定番地から、その回転位置に対応する表示ボタンの画像情報を読み出して、これを電子カルテの画面上の所定位置に表示させることで、上述したスクロール表示を行う。
【００４７】
また、操作者がトグルボタン５ａを上向きに回転させた場合には、トグル回転方向位置判断部２ｃによってその回転方向と回転位置が判断されて、それらを知らせる報知信号がボタン表示切替処理部２ｄに送信される（Ｓ０３、ＮＯ；Ｓ０５、ＹＥＳ）。
【００４８】
ここで、ボタン表示切替処理部２ｄにおいては、上述したカーソルが［ＡＣ］ボタン上に位置した旨の報知信号と、トグルボタン５ａの回転方向と回転位置を知らせる報知信号を受けて、［ＡＣ］ボタンに関連する他の［保険１］、［病名］、［家族］、［アレルギー］、［詳細］の５個の表示ボタンを、トグルボタン５ａの回転位置に応じて、順次、下方向にスクロール表示させることで、それらの表示切り替えを行う（Ｓ０６）。
【００４９】
このように、ボタン表示切替処理部２ｄは、トグルボタン５ａが回転されたことを受けて、表示ボタンの表示切り替えを行うので、操作者は、トグルボタン５ａを回転させるといった簡単な操作を行うことだけで、表示ボタンの表示切り替えを行うことができる。従って、操作者が所望する診療項目に対応する表示ボタンを選択するまでに行う操作の手間を軽減することができる。
【００５０】
説明に戻って、このようにして、操作者は、所望する診療項目に対応する表示ボタンが表示されるまでトグルボタン５ａを回転させ続けて、例えば所望する診療項目である［病名］ボタンを表示させた上で、クリックボタン５ｂを押下した場合には、クリック取得部２ｅによってこれが検出されて、その旨の報知信号がボタン表示切替処理部２ｄに送信される（Ｓ０７、ＹＥＳ）。
【００５１】
因みに、このクリックボタン５ｂの操作は、マウス５における右クリックと左クリックの何れであっても良く、アプリケーションに依存することとする。
【００５２】
ここで、ボタン表示切替処理部２ｄにおいては、この［病名］ボタンが選択されたことを操作者に対して明示するために、例えば図４（Ｄ）に示すように、この「病名」ボタンの表示色を変化させる処理を行う（Ｓ０８）。
【００５３】
即ち、上述した、表示色を変化させた「病名」ボタンの画像情報は、その表示装置３の画面上における表示位置情報と対応付けて、記憶装置１に備えられたメモリの所定領域に記憶されており、ボタン表示切替処理部２ｄは、クリックボタン５ｂが押下されたことを受けて、当該表示色を変化させた「病名」ボタンの画像を、その表示位置情報に基づいて、電子カルテの画面上の所定位置に表示させる。
【００５４】
ここで、表示実行処理部２ａは、この［病名］ボタンに対応して定義付けされた処理、具体的には、例えば患者が過去にかかった病気の履歴を表示装置３に一覧表示させる処理を行う（Ｓ０９）。
【００５５】
即ち、表示実行処理部２ａは、「病名」ボタンが押下されたことを受けて、記憶装置１から、患者が過去にかかった病気の履歴を一覧表示した画像情報を読みだして、その画像を表示装置３に表示させる。
【００５６】
このように、表示実行処理部２ａは、何れかの表示ボタン上にカーソルが位置されて、且つ、クリックボタン５ｂが押下された場合に、当該表示ボタンに対応する診断項目に関する情報を電子カルテ上に表示させる処理を行うので、操作者は、クリックボタン５ｂが押下するといった簡単な操作を行うだけで、所望する診断項目に関する情報を電子カルテ上に表示させることができる。
【００５７】
尚、表示実行処理部２ａは、本発明の「表示実行処理手段」にも対応する。
【００５８】
また、操作者がマウス５を操作して、クリックボタン５ｂを押下することなくカーソルの位置を［病名］ボタンから外した場合には、カーソル位置判断部２ａによってこれが判断されて、その旨の報知信号がボタン表示切替処理部２ｄに送信される（Ｓ１０、ＹＥＳ）。
【００５９】
この際、カーソル位置判断部２ａは、マウス５からの操作信号を受けて、その操作信号に基づいてカーソルの画面上における位置を判断して、その位置情報と［病名］ボタンの表示位置情報とを比較することで、カーソルが［病名］ボタンの上から外されたか否かを判断する。
【００６０】
ここで、ボタン表示切替処理部２ｄにおいては、初期状態に戻すべく、第１診療項目である［ＡＣ］ボタンを表示する（Ｓ０１へ戻る）。
【００６１】
即ち、ボタン表示切替処理部２ｄは、カーソルが［病名］ボタンの上から外されたことを受けて、記憶装置１に備えられたメモリの所定領域から、[ＡＣ]ボタンの画像情報を読み出して、その表示装置３の画面上における表示位置情報に従って、これを電子カルテの画面上の所定位置に表示させる。
【００６２】
このように、ボタン表示切替処理部２ｄは、カーソルが表示ボタンから外されたことを受けて、表示ボタンの表示を初期状態に戻す処理を行うので、操作者は、マウス５の操作によって表示ボタンの上からカーソルを外すだけで、表示ボタンの表示を容易に初期状態に戻すことができる。
【００６３】
尚、ボタン表示切替処理部２ｄは、本発明の「表示復帰処理手段」にも対応する。
【実施例２】
【００６４】
以下、図２に示す画像診断情報ショートカット表示窓部分３０Ａｅに配置された［頭部ＣＴ（単純）］、［躯幹ＣＴ（単純）］、［四肢ＣＴ（単純）］、［頭部ＭＲ（単純）］、［躯幹ＭＲ（単純）］、［四肢ＭＲ（単純）］、［＜］、［＞］等の８個の表示ボタンを例に挙げて、当該電子カルテ表示装置の表示装置３において表示される電子カルテ画面における場合について、図８に示すフローチャートの流れに沿って説明する。
【００６５】
図６（Ａ）に示すように、従来の電子カルテ画面３０Ａの画像診断情報ショートカット表示窓部分３０Ａｅには、［頭部ＣＴ（単純）］、［躯幹ＣＴ（単純）］、［四肢ＣＴ（単純）］、［頭部ＭＲ（単純）］、［躯幹ＭＲ（単純）］、［四肢ＭＲ（単純）］、［＜］、［＞］の８個の表示ボタンが縦一列に配置されている。これに対して、図６（Ｂ）に示すように、当該電子カルテ表示装置の表示装置３に表示する電子カルテ画面の画像診断情報ショートカット表示窓部分３Ａｅにおいては、第１診療項目群として、Ｘ線ＣＴ画像の診断結果と対応付けられた［頭部ＣＴ（単純）］、［躯幹ＣＴ（単純）］、［四肢ＣＴ（単純）］の３つの表示ボタンのみを配置（表示）する（Ｓ１１）。
【００６６】
即ち、表示実行処理部２ａは、上述した電子カルテの情報に基づいて、表示装置３の表示画面の所定位置に電子カルテ画面の各表示窓部分の画像を表示させると共に、当該画像診断情報ショートカット表示窓部分３０Ａｅの所定位置に、これら［頭部ＣＴ（単純）］、［躯幹ＣＴ（単純）］、［四肢ＣＴ（単純）］の３つの表示ボタンの画像を表示させる。
【００６７】
このように、当該電子カルテ表示装置においては、表示装置３に表示される電子カルテ画面の初期状態において、第１診療項目群に対応する表示ボタン群のみを表示するので、電子カルテ画面上に配置される表示ボタンの数を減らすことができ、操作者が所望する診療項目に対応する表示ボタンを探し当てる手間を軽減することができる。さらに、個々の表示ボタンを大きく構成することで、操作者の手間をより軽減することができる。
【００６８】
説明に戻って、ここで、操作者がマウス５の操作によって、これら［頭部ＣＴ（単純）］、［躯幹ＣＴ（単純）］、［四肢ＣＴ（単純）］の表示ボタンの何れかの上にカーソルを位置させると、カーソル位置判断部２ａによってこれが判断されて、その旨の報知信号がボタン表示切替処理部２ｄに送信される（Ｓ１２、ＹＥＳ）。
【００６９】
この際、カーソル位置判断部２ａは、マウス５からの操作信号を受けて、その操作信号に基づいてカーソルの画面上における位置を判断して、その位置情報と、［頭部ＣＴ（単純）］、［躯幹ＣＴ（単純）］、［四肢ＣＴ（単純）］の表示ボタン群の表示位置情報とを比較することで、カーソルが、これら［頭部ＣＴ（単純）］、［躯幹ＣＴ（単純）］、［四肢ＣＴ（単純）］の表示ボタンの何れかの上に位置されたか否かを判断する。
【００７０】
因みに、本実施例においては、上述したように、初期状態において第１診療項目とする表示ボタン群のみを表示するため、操作者にその他に存在している診療項目を認識させるべく、例えば、操作者がマウス５の操作によってカーソルを移動させて、これら［頭部ＣＴ（単純）］、［躯幹ＣＴ（単純）］、［四肢ＣＴ（単純）］の表示ボタンの何れかの上に位置させた場合に、カーソル位置判断部２ａによってこれが検出されて、その検出信号がボタン表示切替処理部２ｄに送信されて、これを受けたボタン表示切替処理部２ｄが、表示装置５に対して、これら［頭部ＣＴ（単純）］、［躯幹ＣＴ（単純）］、［四肢ＣＴ（単純）］の表示ボタンの他に存在している全ての診療項目群（ＭＲ画像の診断結果と対応付けられた［頭部ＭＲ（単純）］、［躯幹ＭＲ（単純）］、［四肢ＭＲ（単純）］の３つの表示ボタン）を一覧表示させるように構成しても良い。
【００７１】
即ち、上述した、全ての診療項目を一覧表示する画像情報は、その表示装置３の画面上における表示位置情報と対応付けて、記憶装置１に備えられたメモリの所定領域に記憶されており、ボタン表示切替処理部２ｄは、その表示位置情報に基づいて、これを電子カルテの画面上の所定位置に表示させる。
【００７２】
説明に戻って、ここで、操作者がトグルボタン５ａを下向きに回転させた場合には、トグル回転方向位置判断部２ｃによってその回転方向と回転位置が判断されて、それらを知らせる報知信号がボタン表示切替処理部２ｄに送信される（Ｓ１３、ＹＥＳ）。
【００７３】
この際、トグル回転方向位置判断部２ｃは、トグルボタン５ａからの操作信号を受けて、その操作信号に基づいてトグルボタン５ａの転方向と回転位置を判断する。
【００７４】
ここで、ボタン表示切替処理部２ｄにおいては、上述したカーソルが［頭部ＣＴ（単純）］、［躯幹ＣＴ（単純）］、［四肢ＣＴ（単純）］の表示ボタンの何れかの上に位置した旨の報知信号と、トグルボタン５ａの回転方向と回転位置を知らせる報知信号を受けて、図７（Ａ）、（Ｂ）に示すように、［頭部ＣＴ（単純）］、［躯幹ＣＴ（単純）］、［四肢ＣＴ（単純）］の表示ボタン群に関連する他の［頭部ＭＲ（単純）］、［躯幹ＭＲ（単純）］、［四肢ＭＲ（単純）］の表示ボタン群を、トグルボタン５ａの回転方向に応じて、一気に上方向にスクロール表示させることで、それらの表示切り替えを行う（Ｓ１４）。
【００７５】
即ち、［頭部ＣＴ（単純）］、［躯幹ＣＴ（単純）］、［四肢ＣＴ（単純）］の表示ボタン群と、［頭部ＭＲ（単純）］、［躯幹ＭＲ（単純）］、［四肢ＭＲ（単純）］の表示ボタン群の画像情報は、記憶装置１に備えられたメモリの所定領域に、その表示装置３の画面上における表示位置情報と対応付けられて記憶されていると共に、各々の画像情報は、当該メモリの所定領域の所定番地に、トグルボタン５ａの回転位置と対応付けられて記憶されている。ボタン表示切替処理部２ｄは、トグルボタン５ａの回転位置の情報に基づいて、順次、当該メモリの所定領域の所定番地から、その回転位置に対応する表示ボタン群の画像情報を読み出して、これを電子カルテの画面上の所定位置に表示させることで、上述したスクロール表示を行う。
【００７６】
また、操作者がトグルボタン５ａを上向きに回転させた場合には、トグル回転方向位置判断部２ｃによってその回転方向と回転位置が判断されて、それらを知らせる報知信号がボタン表示切替処理部２ｄに送信される（Ｓ１３、ＮＯ；Ｓ１５、ＹＥＳ）。
【００７７】
ここで、ボタン表示切替処理部２ｄにおいては、上述したカーソルが［頭部ＣＴ（単純）］、［躯幹ＣＴ（単純）］、［四肢ＣＴ（単純）］の表示ボタンの何れかの上に位置した旨の報知信号と、トグルボタン５ａの回転方向と回転位置を知らせる報知信号を受けて、［頭部ＣＴ（単純）］、［躯幹ＣＴ（単純）］、［四肢ＣＴ（単純）］の表示ボタン群に関連する他の［頭部ＭＲ（単純）］、［躯幹ＭＲ（単純）］、［四肢ＭＲ（単純）］の３個の表示ボタン群を、トグルボタン５ａの回転方向に応じて、一気に下方向にスクロール表示させることで、その表示切り替えを行う（Ｓ１６）。
【００７８】
このようにして、操作者は、所望する診療項目群が表示されるまでトグルボタン５ａを回し続けて、例えば所望する診療項目群である［頭部ＭＲ（単純）］、［躯幹ＭＲ（単純）］、［四肢ＭＲ（単純）］の表示ボタン群を表示させる。
【００７９】
このように、ボタン表示切替処理部２ｄは、トグルボタン５ａが回転されたことを受けて、表示ボタン群の表示切り替えを行うので、操作者は、トグルボタン５ａを回転させるといった簡単な操作を行うだけで、表示ボタン群の表示切り替えを行うことができる。即ち、従来の電子カルテ画面３０Ａの画像診断情報ショートカット表示窓部分３０Ａｅにおいては、操作者は、所望する診療項目群に対応する表示ボタン群を表示させるために、マウスの操作によって、［＜］、［＞］ボタン上にカーソルを移動させて、クリックボタンを押下するといった面倒な操作を行う必要があったのに対して、当該電子カルテ表示装置においては、操作者は、所望する診療項目群に対応する表示ボタン群を表示させるために、マウスの操作によって第１診療項目群に対応する表示ボタン群の何れかの上にカーソルを移動させて、トグルボタン５ａを回転させるといった簡単な操作を行うだけで表示ボタン群の表示切り替えを行うことができる。従って、操作者が所望する診療項目に対応する表示ボタンを選択するまでに行う操作を簡略化することができ、その手間を軽減することができる。
【００８０】
説明に戻って、ここで、操作者が、マウス５の操作によって、これら［頭部ＭＲ（単純）］、［躯幹ＭＲ（単純）］、［四肢ＭＲ（単純）］の表示ボタンの内、所望する例えば［頭部ＭＲ（単純）］ボタン上にカーソルを移動させると、カーソル位置判断部２ａによってこれが判断されて、その旨の報知信号がボタン表示切替処理部２ｄに送信される。
【００８１】
ここで、操作者が、クリックボタン５ｂを押下した場合には、クリック取得部２ｅによってこれが検出されて、その旨の報知信号がボタン表示切替処理部２ｄに送信される（Ｓ１７、ＹＥＳ）。
【００８２】
因みに、このクリックボタン５ｂの操作は、マウス５における右クリックと左クリックの何れであっても良く、アプリケーションに依存することとする。
【００８３】
ここで、ボタン表示切替処理部２ｄにおいては、この［頭部ＭＲ（単純）］ボタンが選択されたことを操作者に対して明示するために、例えば［頭部ＭＲ（単純）］ボタンの表示色を変化させる処理を行う（Ｓ１８）。
【００８４】
即ち、上述した、表示色を変化させた「頭部ＭＲ（単純）」ボタンの画像情報は、その表示装置３の画面上における表示位置情報と対応付けて、記憶装置１に備えられたメモリの所定領域に記憶されており、ボタン表示切替処理部２ｄは、クリックボタン５ｂが押下されたことを受けて、当該表示色を変化させた「頭部ＭＲ（単純）」ボタンの画像を、その表示位置情報に基づいて、電子カルテの画面上の所定位置に表示させる。
【００８５】
ここで、表示実行処理部２ａは、この［頭部ＭＲ（単純）］ボタンに対応して定義付けされた処理、具体的には、患者の頭部のＭＲ画像を表示装置３に表示させる処理を行う（Ｓ１９）。
【００８６】
即ち、表示実行処理部２ａは、「頭部ＭＲ（単純）」ボタンが押下されたことを受けて、記憶装置１から患者の頭部のＭＲ画像情報を読みだして、その画像を表示装置３に表示させる。
【００８７】
このように、表示実行処理部２ａは、何れかの表示ボタン上にカーソルが位置されて、且つ、クリックボタン５ｂが押下された場合に、当該表示ボタンに対応する診断項目に関する情報を電子カルテ上に表示させる処理を行うので、操作者は、クリックボタン５ｂが押下するといった簡単な操作を行うだけで、所望する診断項目に関する情報を電子カルテ上に表示させることができる。
【００８８】
また、操作者がマウス５を操作して、クリックボタン５ｂを押下することなくカーソルの位置を［頭部ＭＲ（単純）］、［躯幹ＭＲ（単純）］、［四肢ＭＲ（単純）］の３つの表示ボタンの何れかからも外した場合には、カーソル位置判断部２ａによってこれが判断されて、その旨の報知信号がボタン表示切替処理部２ｄに送信される（Ｓ２０、ＹＥＳ）。
【００８９】
この際、カーソル位置判断部２ａは、マウス５からの操作信号を受けて、その操作信号に基づいてカーソルの画面上における位置を判断して、その位置情報と、［頭部ＭＲ（単純）］、［躯幹ＭＲ（単純）］、［四肢ＭＲ（単純）］の表示ボタン群の表示位置情報とを比較することで、カーソルが、これら［頭部ＭＲ（単純）］、［躯幹ＭＲ（単純）］、［四肢ＭＲ（単純）］の表示ボタン群の上から外されたか否かを判断する。
【００９０】
ここで、ボタン表示切替処理部２ｄにおいては、初期状態に戻すべく、第１診療項目である［頭部ＣＴ（単純）］、［躯幹ＣＴ（単純）］、［四肢ＣＴ（単純）］ボタンを表示する（Ｓ１１へ戻る）。
【００９１】
即ち、ボタン表示切替処理部２ｄは、カーソルが、［頭部ＭＲ（単純）］、［躯幹ＭＲ（単純）］、［四肢ＭＲ（単純）］の表示ボタン群の上から外されたことを受けて、記憶装置１に備えられたメモリの所定領域から、［頭部ＣＴ（単純）］、［躯幹ＣＴ（単純）］、［四肢ＣＴ（単純）］の表示ボタン群の画像情報を読み出して、その表示装置３の画面上における表示位置情報に従って、これを電子カルテの画面上の所定位置に表示させる。
【００９２】
このように、ボタン表示切替処理部２ｄは、カーソルが表示ボタンから外されたことを受けて、表示ボタンの表示を初期状態に戻す処理を行うので、操作者は、マウス５の操作によって表示ボタンの上からカーソルを外すだけで、表示ボタンの表示を容易に初期状態に戻すことができる。
【００９３】
以上に説明した［実施例１］や［実施例２］における表示切り替え処理は、上述した電子カルテ画面３０Ａの患者情報表示窓部分３０Ａａや、画像診断情報ショートカット表示窓部分３０Ａｅに関して行われるに限らず、カルテ情報表示窓部分３０Ａｂ（担当医表示窓部分３０Ａｂａ、所見表示窓部分３０Ａｂｂ、シェーマ情報表示窓部分３０Ａｂｃ、オーダ情報表示窓部分３０Ａｂｄ等を含む）や、指導料実施情報表示窓部分３０Ａｃ、診療情報ショートカット表示窓部分３０Ａｄ等に関しても同様に行われることとする。但し、この際、例えば使用頻度の低い診療項目や必要性が低い診療項目等は、初期状態において表示される表示ボタンとは対応付けずに、表示切り替え処理が行われて初めて表示される表示ボタンと対応付けておくことが好ましい。
【００９４】
尚、本発明に係る電子カルテ表示装置は、以上に説明した実施形態に限定されるものではなく、その要旨を逸脱することのない範囲内で、種々の変形が可能である。
【００９５】
例えば、本実施形態における電子カルテ表示装置においては、表示装置３が表示する電子カルテの初期状態においては、第１診療項目（群）に対応する表示ボタンを表示することとしたが、この他にも、例えば複数の診療項目を総称するタイトルを表した表示ボタン等を表示することにしても良い。
【００９６】
また、本実施形態における電子カルテ表示装置においては、登録患者の電子カルテの情報が記憶装置１に記憶されていることとしたが、この他にも、例えば病院内の情報システムにおいて管理サーバー等に管理されていることとし、それを表示実行処理部２ａが取得する構成にしても良い。
【図面の簡単な説明】
【００９７】
【図１】本発明に係る電子カルテ表示装置の一実施形態における全体構成を表す構成図である。
【図２】従来の電子カルテ表示装置において表示される電子カルテ画面の構成を表す構成図である。
【図３】（Ａ）は、従来の電子カルテ画面における表示ボタンの配置状態について説明するための説明図である。  （Ｂ）は、図１に示す表示装置に表示される電子カルテ画面における表示ボタンの配置状態について説明するための説明図である。
【図４】（Ａ）〜（Ｄ）は、何れも図３（Ｂ）に示す表示ボタンの表示が切り替えられる様子を説明するための説明図である。
【図５】図４に示す表示ボタンの表示切り替え処理について説明するためのフローチャートである。
【図６】（Ａ）は、従来の電子カルテ画面における表示ボタンの配置状態について説明するための説明図である。  （Ｂ）は、図１に示す表示装置に表示される電子カルテ画面における表示ボタンの配置状態について説明するための説明図である。
【図７】（Ａ）、（Ｂ）は、何れも図６（Ｂ）に示す表示ボタンの表示が切り替えられる様子について説明するための説明図である。
【図８】図６に示す表示ボタンの表示切り替え処理について説明するためのフローチャートである。
【符号の説明】
【００９８】
１  記憶装置
２  処理装置
２ａ  表示実行処理部
２ｂ  カーソル位置判断部
２ｃ  トグル回転方向位置判断部
２ｄ  ボタン表示切替処理部
２ｅ  クリック判断部
３  表示装置
４  キーボード
５  マウス
５ａ  トグルボタン
５ｂ  クリックボタン
【図１】
2005250846.tif 000003
【図２】
2005250846.tif 000004
【図３】
2005250846.tif 000005
【図４】
2005250846.tif 000006
【図５】
2005250846.tif 000007
【図６】
2005250846.tif 000008
【図７】
2005250846.tif 000009
【図８】
2005250846.tif 000010